(57)【要約】【課題】ＰＤＰのようにアドレス期間と維持期間とが順次に行われて画像を表示する表示装置を提供する。【解決手段】パネルの画素を複数のグループに区分し、各グループに属する画素に対してアドレス期間と維持期間とを順次に行うが、何れか１つのグループの画素に対してアドレス期間を行う間に、他のグループの画素は休止状態にあり、何れか１つのグループの画素に対してアドレス期間を行った後、維持期間を行う間には、既にアドレス期間が行われた他のグループの画素に対しても選択的に維持期間を行う。これにより、各画素においてアドレス動作があってから、短時間内に維持放電動作を起こすことによって、アドレス期間に印加される走査パルスとアドレスパルスとの幅をより狭くしても安定した維持放電が得られ、全体画素のアドレッシングにかかる所要期間が短縮しうる。【選択図】図１Ａ
2004177933.tif 000002
【特許請求の範囲】
【請求項１】
パネルの画素を複数のグループに区分し、各グループに属する画素をアドレッシングし、維持放電する方法において、
各グループの画素に対してはアドレス期間と維持期間とを順次に行うが、各グループの画素に対するアドレス動作を行った後、前記アドレッシングされたグループの画素に対して維持期間を行い、前記維持期間が終了された後、他のグループの画素に対してアドレス動作を行い、何れか１つのグループの画素に対して維持期間を行う間に、既にアドレス期間が行われた他のグループの画素に対しても維持期間を行う混合区間と、
全てのグループに属する画素に対して一定期間共通で維持期間を行う共通区間と、
各グループの画素が所定の階調度を満足させるように、各グループの画素に対して選択的にさらなる維持期間を行う補正区間と
を含むことを特徴とするパネル駆動方法。
【請求項２】
前記混合区間において何れか１つのグループの画素に対して維持期間が行われる間に、他のグループの画素に対する維持期間は、選択的に行われることを特徴とする請求項１に記載のパネル駆動方法。
【請求項３】
混合区間の維持期間に印加される維持パルスは、共通区間に印加される維持パルスよりそのパルス幅をさらに広くするか、そのパルス電圧をさらに高くすることを特徴とする請求項１に記載のパネル駆動方法。
【請求項４】
前記第１グループのアドレス期間の実行前に、全てのグループに対してリセット期間が同時に行われるか、各グループ別アドレス期間の実行前に、リセット期間が行われることを特徴とする請求項１に記載のパネル駆動方法。
【請求項５】
パネルの画素を複数のグループに区分し、各グループに属する画素をアドレッシングして維持放電する方法において、
各グループの画素に対しては、アドレス期間と維持期間とを順次に行うが、各グループの画素に対するアドレス動作を行った後、前記アドレッシングされたグループの画素に対して維持期間を行い、前記維持期間が終了された後、他のグループの画素に対してアドレス動作を行い、何れか１つのグループの画素に対して維持期間を行う間に、既にアドレス期間が行われた他のグループの画素に対しても維持期間を行う混合区間と、
前記混合区間の間に各グループ別に異に行われた維持期間によって、各グループ別に異なる階調度を合せるために、前記各グループの画素に対して選択的にさらなる維持期間を行う補正区間と、
所定の階調度を満足させるために、全てのグループに属する画素に対して共通で一定期間維持期間を行う共通区間と
を含むことを特徴とするパネル駆動方法。
【請求項６】
前記混合区間において何れか１つのグループの画素に対して維持期間が行われる間、他のグループの画素に対する維持期間は、選択的に行われることを特徴とする請求項５に記載のパネル駆動方法。
【請求項７】
混合区間の維持期間に印加される維持パルスは、共通区間に印加される維持パルスよりそのパルス幅をさらに広くするか、そのパルス電圧をさらに高くすることを特徴とする請求項５に記載のパネル駆動方法。
【請求項８】
前記第１グループのアドレス期間の実行前に、全てのグループに対してリセット期間が同時に行われるか、各グループ別にアドレス期間の実行前に、リセット期間が行われることを特徴とする請求項５に記載のパネル駆動方法。
【請求項９】
パネルの画素を複数のグループに区分し、各グループに属する画素が所定の階調度を有するようにアドレッシングして維持放電する方法において、
各グループに属する画素に対してアドレス期間と維持期間とを順次に行い、１グループの画素に対する一連のアドレス期間及び維持期間が行われた後、他のグループの画素に対するアドレス期間が行われ、
何れか１つのグループの画素に対して維持期間が行われる間、既にアドレス期間が行われた他のグループの画素に対しても選択的に維持期間が行われ、
前記他のグループに対して今まで行われた維持期間によって前記所定の階調度が達成されたならば、前記何れか１つのグループで維持期間が行われても休止状態を保ち、
最後のグループの画素までアドレス期間と維持期間とを全て行った後、前記所定の階調度を満足させないグループの画素に対しては、前記所定の階調度を合せるためにさらなる維持期間を選択的に行うことを特徴とするパネル駆動方法。
【請求項１０】
パネルの走査電極を複数のグループに区分し、各グループに属する画素をアドレッシングして維持放電する方法において、
第１グループの走査電極に順次に走査パルスを印加してアドレッシング動作を行って第１グループの全ての走査電極に対するアドレス動作が完了すれば、前記走査電極に維持パルスを印加して維持動作を行い、
前記第１グループに対する維持期間が完了すれば、第２グループの走査電極に対してもアドレス動作及び維持放電動作を順次に行い、
同じ方式で第１グループから最後のグループまでアドレス動作と維持動作とが順次に行われることを特徴とするパネル駆動方法。
【請求項１１】
パネルの画素を複数のグループに区分し、各グループに属する画素に対してアドレス期間と維持期間とを順次に行うが、
何れか１つのグループの画素に対してアドレス期間を行う間は、他のグループの画素は休止状態にあり、
何れか１つのグループの画素に対してアドレス期間を行った後に維持期間を行う間に、既にアドレス期間が行われた他のグループの画素に対しても選択的に維持期間を行うことを特徴とするパネル駆動方法。
【請求項１２】
パネルの画素を選択的にアドレッシングするアドレス信号を発するためのアドレス信号発生器と、
前記アドレス信号発生器によってアドレッシングされた画素を維持放電させる維持信号を発するための維持信号発生器を備える信号合成部と、
前記信号合成部の信号によって前記複数のグループに区分された画素を、各グループ別に駆動する画素駆動部とを含み、
前記信号合成部は、
各グループに属する画素に対してアドレス期間と維持期間とを順次に行うが、何れか１つのグループの画素に対してアドレス期間を行う間に他のグループの画素は休止状態にあり、何れか１つのグループの画素に対してアドレス期間を行った後に維持期間を行う間に、既にアドレス期間が行われた他のグループの画素に対しても選択的に維持期間を行うように、アドレス信号及び維持信号を発することを特徴とするパネル駆動装置。
【請求項１３】
前記信号合成部は、
全てのグループに属する画素に対するアドレス期間を全て行った後、全てのグループに属する画素に対して一定期間共通で維持期間を行うための維持信号を、さらに発することを特徴とする請求項１２に記載のパネル駆動装置。
【請求項１４】
前記信号合成部は、
各グループの画素が所定の階調度を満足させるように、各グループの画素に対して選択的にさらなる維持期間を行うための維持信号をさらに発することを特徴とする請求項１２に記載のパネル駆動装置。
【請求項１５】
前記信号合成部は、
グループ別画素に対して順次にアドレス期間と維持期間とを行った結果、何れか１つのグループに対して今まで行われた維持期間によって所定の階調度が達成されたならば、他のグループで維持期間が行われても、前記グループの画素は休止状態を保たせることを特徴とする請求項１２に記載のパネル駆動装置。
【請求項１６】
前記信号合成部は、
第１グループの画素に対するアドレス期間の実行前に、全てのグループの画素に対してリセット期間が同時に行われるか、各グループ別画素に対してアドレス期間を行う前に、当該グループの画素に対してリセット期間が行われるようにすることを特徴とする請求項１２に記載のパネル駆動装置。
【発明の詳細な説明】
【技術分野】
【０００１】
本発明はプラズマディスプレーパネル（ＰＤＰ）のようにアドレス期間と維持期間とが順次に行われて画像を表示する表示装置に関する。
【背景技術】
【０００２】
ＰＤＰの電極駆動方式については、特許文献１に開示されている。パネル駆動タイミングは、リセット（初期化）期間、アドレス（書込み）期間、維持（表示）期間に分けられる。リセット期間は、セルにアドレッシング動作を円滑に行わせるために各セルの状態を初期化し、アドレス期間はパネルで点くセルと、そうでないセルとを選択して点くセルに壁電荷を積む動作を行い、維持期間はアドレッシングされたセルに実際に画像を表示するための放電を行う。
【０００３】
前記特許文献１では、フィールド−サブフィールド構造によって階調性を具現するために、アドレス期間と維持期間とを時間的に分離独立して駆動する方式を採択している。言い換えれば、最初走査電極で最後の走査電極までのアドレッシング動作を完了した後、全ての画素に対して同時に維持動作を行わせたものである。かかる駆動方式によれば、何れか一走査ラインにアドレッシング動作が行われた後、その走査ラインでの維持放電動作は、最後の走査ラインのアドレッシング動作が完了して初めて行われる。したがって、アドレッシング動作が行われたセルで維持放電動作が行われるまで、相当の時間的なギャップが生じて維持放電動作が不安定になる問題点があった。
【特許文献１】米国特許第５，５４１，６１８号公報
【発明の開示】
【発明が解決しようとする課題】
【０００４】
本発明が解決しようとする技術的な課題は、アドレス期間と維持期間との時間的なギャップを最小化して円滑な維持放電を起こす平板表示装置の電極駆動方法及びその装置を提供することである。
【課題を解決するための手段】
【０００５】
前記技術的な課題を解決するための本発明に係るパネル駆動方法は、パネルの画素を複数のグループに区分し、各グループに属する画素をアドレッシングし、維持放電する方法において、各グループの画素に対してはアドレス期間と維持期間とを順次に行うが、各グループの画素に対するアドレス動作を行った後、前記アドレッシングされたグループの画素に対して維持期間を行い、前記維持期間が終了された後、他のグループの画素に対してアドレス動作を行い、何れか１つのグループの画素に対して維持期間を行う間に既にアドレス期間が行われた他のグループの画素に対しても維持期間を行う混合区間と、全てのグループに属する画素に対して一定期間共通で維持期間を行う共通区間と、各グループの画素が所定の階調度を満足させるように各グループの画素に対して選択的にさらなる維持期間を行う補正区間とを含む。
【０００６】
前記技術的課題を達成するための本発明に係る他のパネル駆動方法は、パネルの画素を複数のグループに区分し、各グループに属する画素をアドレッシングして維持放電する方法において、各グループの画素に対してはアドレス期間と維持期間とを順次に行うが、各グループの画素に対するアドレス動作を行った後、前記アドレッシングされたグループの画素に対して維持期間を行い、前記維持期間が終了された後、他のグループの画素に対してアドレス動作を行い、何れか１つのグループの画素に対して維持期間を行う間に既にアドレス期間が行われた他のグループの画素に対しても維持期間を行う混合区間と、前記混合区間の間に各グループ別に異に行われた維持期間によって各グループ別に異なる階調度を合せるために前記各グループの画素に対して選択的にさらなる維持期間を行う補正区間と、所定の階調度を満足させるために全てのグループに属する画素に対して共通に一定期間維持期間を行う共通区間とを含む。
【０００７】
前記技術的課題を達成するための本発明に係る他のパネル駆動方法は、パネルの画素を複数のグループに区分し、各グループに属する画素が所定の階調度を有するようにアドレッシングして維持放電する方法において、各グループに属する画素に対してアドレス期間と維持期間とを順次に行い、１グループの画素に対する一連のアドレス期間及び維持期間が行われた後、他のグループの画素に対するアドレス期間が行われ、何れか１つのグループの画素に対して維持期間が行われる間、既にアドレス期間が行われた他のグループの画素に対しても選択的に維持期間が行われつつ、前記他のグループに対して今まで行われた維持期間によって前記所定の階調度が達成されたならば、前記何れか１つのグループで維持期間が行われても休止状態を保ち、最後のグループの画素までアドレス期間と維持期間とを全て行った後、前記所定の階調度を満足させないグループの画素に対しては前記所定の階調度を合せるためにさらなる維持期間を選択的に行う。
【０００８】
前記技術的課題を達成するための本発明に係る他のパネル駆動方法は、パネルの走査電極を複数のグループに区分し、各グループに属する画素をアドレッシングして維持放電する方法において、第１グループの走査電極に順次に走査パルスを印加してアドレッシング動作を行って第１グループの全ての走査電極に対するアドレス動作が完了すれば、前記走査電極に維持パルスを印加して維持動作を行い、前記第１グループに対する維持期間が完了すれば第２グループの走査電極に対してもアドレス動作及び維持放電動作を順次に行い、同じ方式で第１グループから最後のグループまでアドレス動作と維持動作とが順次に行われる。
【０００９】
前記技術的課題を達成するための本発明に係るさらに他のパネル駆動方法は、パネルの画素を複数のグループに区分し、各グループに属する画素に対してアドレス期間と維持期間とを順次に行うが、何れか１つのグループの画素に対してアドレス期間を行う間に他のグループの画素は休止状態にあり、何れか１つのグループの画素に対してアドレス期間を行った後、維持期間を行う間には既にアドレス期間が行われた他のグループの画素に対しても選択的に維持期間を行う。
【００１０】
前記技術的課題を達成するための本発明に係る他のパネル駆動装置は、パネルの画素を選択的にアドレッシングするアドレス信号を発するためのアドレス信号発生器と、前記アドレス信号発生器によってアドレッシングされた画素を維持放電させる維持信号を発するための維持信号発生器を備える信号合成部と、前記信号合成部の信号によって前記複数のグループに区分された画素を各グループ別に駆動する画素駆動部とを含み、前記信号合成部は、各グループに属する画素に対してアドレス期間と維持期間とを順次に行うが、何れか１つのグループの画素に対してアドレス期間を行う間に他のグループの画素は休止状態にあり、何れか１つのグループの画素に対してアドレス期間を行った後、維持期間を行う間には既にアドレス期間が行われた他のグループの画素に対しても選択的に維持期間を行うようにアドレス信号及び維持信号を発することが望ましい。
【発明の効果】
【００１１】
前述したように、本発明に係るパネル駆動方法及びその装置によれば、パネルの画素を複数のグループに区分し、各グループの画素に対してはアドレス期間と維持期間とを連続して行う。したがって、各画素においてアドレス動作があってから、短時間内に維持放電動作を起こすことによって、アドレス期間に印加される走査パルスとアドレスパルスとの幅をより狭くしても安定した維持放電が得られる。これにより、全体画素のアドレッシングにかかる所要期間が短縮されて１ＴＶフィールド時間の間に維持放電にさらに多くの時間を割当てられることを意味する。したがって、画面の輝度を向上でき、さらに多くの走査ラインが大型パネルに対しても高階調の装置を具現しうる。
【発明を実施するための最良の形態】
【００１２】
以下、添付した図面に基づき、本発明を詳細に説明する。本発明の一実施形態としてＡＣ型プラズマディスプレーパネルの駆動方式を中心に説明する。
図７は、ＡＣ型プラズマディスプレーパネルの一部斜視図である。第１ガラス基板１上には、誘電体層２及び保護膜３で覆われた走査電極４と維持（共通）電極５が対をなして平行に設けられる。第２ガラス基板６上には、絶縁体層７で覆われた複数のアドレス電極８が設けられる。アドレス電極８間にある絶縁体層７上には、アドレス電極８と平行に隔壁９が形成されている。また、絶縁体層７の表面及び隔壁９の両側面に蛍光体１０が形成されている。第１ガラス基板１と第２ガラス基板６は、走査電極４とアドレス電極８及び維持電極５とアドレス電極８が直交すべく放電空間１１を介在して対向して配置されている。アドレス電極８と、対をなす走査電極４と維持電極５との交差部にある放電空間が放電セル１２を形成する。
【００１３】
図８は、パネルの電極配列図を示す。電極はｍ列×ｎ行のマトリックス構成を取る。列方向には、アドレス電極Ａ１〜Ａｍが配されており、行方向にはｎ行の走査電極ＳＣＮ１〜ＳＣＮｎ及び維持電極ＳＵＳ１〜ＳＵＳｎが配されている。図８に示された放電セルは、図７に示された放電セル１２に対応する。
図９は、本発明の一実施形態に係るパネル駆動装置のブロック図である。パネル９７に表示されるアナログ映像信号は、デジタルデータに変換されてフレームメモリ９１に記録される。サブフィールド処理部９２は、フレームメモリ９１に貯蔵されたデジタルデータを必要によって分割してサブフィールド単位で出力する。例えば、パネルで階調を表示するために、フレームメモリ９１に貯蔵された画素データの１フレームを複数のサブフィールドに分割し、各サブフィールドのデータを出力する。
【００１４】
パルス合成部９４は、パネル９７の画素を形成するアドレス電極、走査電極及び維持電極を駆動するために、リセット期間、アドレス期間及び維持期間で各電極に印加する信号波形を生じるリセット信号発生器９４２、書込みパルス発生器９４３及び維持パルス発生器９４４を備える。リセット信号発生器９４２は、各セルの状態を初期化させるリセット信号を発し、書込みパルス発生器９４３は、点くセルを選択的にアドレッシングするアドレス信号を発し、維持パルス発生器９４４は、アドレス信号によってアドレッシングされたセルを放電させる維持信号を発する。パルス合成部９４で生じた信号は、所定のタイミングによってパネル９７の走査電極Ｙ駆動部９６と維持電極（Ｘ）駆動部９５に印加される。
【００１５】
パネルの走査電極は、複数のグループに区分されており、走査電極駆動部９６は各グループに属する走査電極を駆動するための複数の駆動回路９６１，９６２，．．．９６８を備える。一方、維持電極（Ｘ）駆動部９５は、パネル９７の維持電極を駆動する。タイミング制御器９３は、サブフィールド処理部９２とパルス合成部９４の動作に必要な各種タイミング信号を発する。
以下、本発明に係るパネル駆動方法を詳細に説明し、そのような駆動方法は、図７ないし図９の構造及び装置で行われる。すなわち、フレームをサブフィールドに分割した後、各サブフィールド単位でアドレス期間と維持期間とを順次に行う過程や複数のグループに対して順次にアドレス期間と維持期間とを行う過程は、図９の装置で容易に具現しうる。
【００１６】
図１Ａは、本発明に係るパネル駆動方法の実施形態を示す図面であって、パネルの画素を複数のグループに区分して各グループに属する画素をアドレッシングして維持放電する方法を説明する。
パネルの走査電極を複数のグループＧ１〜ｎに分けて、各グループに属する走査電極に対して順次にアドレス動作を行う。何れか１つのグループに対してアドレス動作が行われた後、そのグループの電極には維持放電パルスが印加されて維持期間を行う。もし、何れか１つのグループの電極に対して維持期間が行われる場合、既にアドレス動作が行われた他のグループの電極に対しても維持期間が選択的に行われるようにする。このように、何れか１つのグループの画素に対してアドレス期間に次いで一定の期間の維持期間が行われた後、再びアドレス動作が行われていない他のグループの走査電極に対してアドレス期間が行われる。ここで、１つのパネルを構成する走査電極を複数のグループに分けつつ各グループに属する走査電極の数は各グループ別に均等に分割するか、任意に調整しうる。
【００１７】
図１Ａにおいて、１つのサブフィールドは、リセット期間Ｒ、書込み／維持混合区間Ｔ１、共通維持区間Ｔ２及び輝度補正区間Ｔ３に区分して表示できる。図面において、点で表示されたブロックは、混合区間Ｔ１の書込み（アドレス）期間、左側斜線で表された区間は、混合区間Ｔ１の維持期間、左側斜線と右側斜線とが共に表された区間は、共通区間Ｔ２の維持期間、右側斜線が表された区間は、補正区間Ｔ３の維持期間を各々示す。
リセット期間Ｒは、全てのグループの走査ラインに対してリセットパルスを印加して画素の壁電荷状態を初期化する。他の実施形態として、リセット期間を全てのグループに対して同時に行う代わりに、各グループに属する画素別アドレス期間の実行前にリセット期間を行って各グループ別にリセット期間を別に行える。
【００１８】
図１Ｂは、リセット期間が各グループ別に別途に行われることを示す図面であり、アドレス期間及び維持期間は、図１Ａと同一に動作する。示されたように、まず第１グループの画素に対して第１リセット期間Ｒ１を行った後、アドレス期間ＡＧ１及び維持期間Ｓ１１を行う。維持期間Ｓ１１が行われた後、第２グループの画素に対して第２リセット期間Ｒ２が行われる。その後、第２グループに対するアドレス期間ＡＧ２が行われ、第１及び２グループの画素に対して維持期間Ｓ１２、Ｓ２１が行われる。
【００１９】
以下、書込み／維持混合区間Ｔ１について説明する。第１グループＧ１で第１走査電極Ｙ１１から最後の走査ラインＹ１ｍまで順次に走査パルスを印加してアドレス期間ＡＧ１を行う。第１グループの画素に対するアドレス動作が全て完了すれば、これらアドレッシングされた画素を一定数の維持パルスによって維持放電させる維持期間Ｓ１１を行う。
第１グループの第１維持期間Ｓ１１が終了すれば、第２グループの画素に対するアドレス期間ＡＧ２が行われる。第２グループのアドレス期間ＡＧ２の間には、他のグループの画素に対して別の動作パルスが印加されないようにすることが望ましい。しかし、第２グループの走査電極に走査パルスが順次に印加されるが、一走査電極に走査パルスが印加された後、その次の走査電極への走査パルスの印加前の時間の間に、他のグループの電極に維持パルスを印加できる（他のグループのアドレス期間の場合にも同じく適用できる）。
【００２０】
第２グループのアドレス期間ＡＧ２が終了すれば、すなわち第２グループに属する走査電極に対するアドレッシング動作が全て完了すれば、第２グループに対する第１維持期間Ｓ２１が行われる。この際、既にアドレス期間が行われた第１グループでも第２維持期間Ｓ１２が行われる（後述のように、行われないこともある）。もちろん、まだアドレス期間が行われていない画素は休止状態を保つ。
第２グループの第１維持期間Ｓ２１が終了すれば、第３グループに対して前述したような方式でアドレス期間ＳＧ３及び第１維持期間Ｓ３１が行われ、第３グループの第１維持期間Ｓ３１が行われる間、既にアドレス期間が行われた第１、第２グループの画素に対しても維持期間Ｓ１３、Ｓ２２が行われる。
【００２１】
前記のような過程を経て、最後のグループＧｎに属する走査電極に対して順次に走査パルスを印加してアドレス期間ＡＧｎを行った後、維持期間Ｓｎ１を行う。維持期間Ｓｎ１が行われる間には、他のグループの画素に対しても維持期間が行われる。
図１Ａでは、何れか１つのグループの画素に対して維持期間を行う間には、その以前にアドレス期間が行われたグループの画素に対しても、全て維持期間を行う例を示している。もし、単位維持期間に印加される維持パルスの数が同一（すなわち、単位維持期間に印加される維持パルスによって発現される輝度が同一）であるとすると、第ｎグループの画素に比べて第１グループの画素はｎ倍の輝度を、第２グループの画素はｎ−１倍の輝度を、そして第Ｇｎ−１グループの画素は２倍の輝度を示す。
【００２２】
書込み／維持混合区間Ｔ１が全て行われた後には、共通維持区間Ｔ２が行われる。この区間には、全てのグループの画素に対して共通で維持パルスを印加して維持期間を行う。
共通維持区間Ｔ２が行われた後には、輝度補正区間Ｔ３が行われる。混合区間Ｔ１において各グループ別に維持期間の長さが異って行われたので、全ての画素が有する輝度を同一にするために、各グループ別にさらなる維持期間を行う。例えば、第１グループＧ１の画素の輝度は、混合区間Ｔ１の間に行われた維持期間Ｓ１１、Ｓ１２，．．．Ｓ１，ｎと共通維持期間Ｔ２の和によって決定され、第１グループの画素は、補正区間Ｔ３が始まる時点で最高の輝度を有する。他のグループの画素にも第１グループの画素が有する輝度を保たせるために、第２グループＧ２の画素に対してはさらなる維持期間Ｓ２，ｎ（この期間は実質的には第１グループの第１維持期間のＳ１１に対応する）が行われるべきであり、第３グループＧ３の画素に対しては第１グループの第１、第２維持期間Ｓ１１、Ｓ１２に対応するさらなる維持期間Ｓ３，ｎ−１、Ｓ３，ｎを行うべきである。かかる方式で最後のグループＧｎの画素に対してもさらなる維持期間Ｓｎ２，Ｓｎ３，…，Ｓｎ，ｎを行うべきである。これにより、パネルの全ての画素が同じ輝度を示しうる。
【００２３】
前述したように全ての画素に対する維持期間が終了すれば、１つのサブフィールドの動作が完了し、後続のサブフィールドのリセット期間が再び始まる。
図１Ａに示された本発明の実施形態によれば、１つのサブフィールドがその性質上３つの時間領域に区分されうる。
書込み／維持混合区間Ｔ１は、パネルの全ての画素に対してアドレス期間を行う最中に維持期間が行われて、アドレス期間と維持期間とが時間的に混在した期間である。混合区間Ｔ１の間に各グループの画素に対しては、アドレス期間と維持期間とを順次に行うが、あるグループに対するアドレス期間と維持期間とが行われた後、他のグループの画素に対するアドレス期間が始まる。何れか１グループの画素に対して維持期間を行う間、既にアドレス期間が行われた他のグループの画素に対しても維持期間が行われる。
【００２４】
共通維持期間Ｔ２は、全ての画素に対して一定期間、一斉に共通して維持期間を行う期間である。輝度補正区間Ｔ３は、各グループ別画素の階調度が相互マッチングさるべくグループ別に選択的にさらなる維持期間を行って、各グループ別画素の輝度を補正して所定の階調度を達成可能にする期間である。
本発明の実施形態では、維持パルスを印加する維持期間が混合区間Ｔ１、共通区間Ｔ２及び補正区間Ｔ３に分けて行われるが、混合区間の維持期間に印加される維持パルスは、共通区間に印加される維持パルスよりそのパルス幅をさらに広くするか、そのパルス電圧をさらに高くすることが望ましい。これにより、アドレス動作後に各画素で壁電荷をさらに十分に確保しうる。
【００２５】
図２Ａは、図１Ａまたは図１Ｂに示された本発明に係るパネル駆動方法をＡＣ型ＰＤＰに適用した具現例である。混合区間Ｔ１において、第１グループＧ１に属する走査電極Ｙ１１，Ｙ１２，．．．に順次に走査パルスが印加されれば、アドレス電極Ａに印加されたアドレスパルスとの関係によってアドレッシング動作が起こる。第１グループＧ１の全ての走査電極に対するアドレッシング動作が完了すれば、第１グループＧ１に対するアドレス期間が終了し、共通電極Ｘ及び走査電極Ｙに維持放電用パルスを印加して、維持期間を第１グループの全ての画素に対して一斉に行う。
【００２６】
図２Ａでは、維持期間間３対の維持パルスが印加されると示されているが、これは便宜上示したものに過ぎず。実際にはアドレッシングされた画素を実質的に維持放電させうる程度の維持パルスが印加されることが望ましい。例えば、２５６階調を具現しようとする場合、少なくとも１階調を示すために必要な数の維持パルスが１つの維持期間に印加さるべくすることが望ましい。一方、共通電極Ｘの場合、維持放電させようとするグループに属する共通電極にのみ維持パルスを印加できる。また、共通電極Ｘに維持パルスが印加されても走査電極Ｙに維持パルスが印加されなければ、その画素で維持放電が起こらないために、全てのグループの共通電極Ｘに維持パルスが印加されうる。
【００２７】
第１グループのアドレス期間と維持期間とが終了されれば、次いで第２グループに対するアドレス期間と維持期間とが行われる。第２グループの維持期間が行われる間に第１グループでも維持期間が行われる。この際、第１グループのアドレス期間に次いで行われる維持期間と第２グループのアドレス期間に次いで行われる維持期間は、その時間長さや維持パルスの数が必ずしも同一である必要はなく、必要に応じて異に設計しても良い。
前記のような方式で順次にアドレス期間と維持期間とを行って、第４グループＧ４の画素に対するアドレス期間と維持期間とが行われ、次いで共通区間Ｔ２が行われる。共通区間Ｔ２では全てのグループの画素に対して維持期間を行い、補正区間Ｔ３には全てのグループの画素の輝度を相互マッチングさせるためのさらなる維持期間を行う。
【００２８】
図２Ｂは、本発明に係るパネル駆動方法を概念的に示した図面である。混合区間Ｔ１では、パネルの画素を複数のグループに区分した後、各グループ別にアドレス期間を順次に行うが、何れか１つのグループのアドレス期間と他のグループのアドレス期間に、少なくとも１グループの画素に対して維持期間を行う。したがって、時間的なタイミング関係から、パネルの最初走査ラインから始めて最後の走査ラインまでアドレッシング動作を行う間に、維持期間が間々に行われる方式で動作することが分かる。このような混合区間Ｔ１が終了すれば全ての画素に対して共通で維持期間Ｔ２を行い、最後に各グループ別にさらなる維持期間Ｔ３を選択的に行う。
【００２９】
図３Ａは、パネルの画素を４グループに区分して前述した本発明を適用した例を示す図面である。１つのサブフィールドは、リセット期間Ｒ、書込み／維持混合区間Ｔ１、共通維持区間Ｔ２及び輝度補正区間Ｔ３で構成され、図１Ａ、図１Ｂまたは図２Ａから説明したような方式で動作する。
パネルを構成する複数の走査ラインを複数のグループに分ける方式において、物理的な走査電極の配列順に幾つずつ束ねて複数のグループを形成できる。例えば、パネルが８００走査ラインよりなる場合、８個のグループに分けつつ第１〜１００番目の走査ラインを第１グループに、第１０１〜２００番目の走査ラインを第２グループに設定できる。ところが、走査ラインをグループ化するに当って隣接するライン同士を集めるのでなく、一定の間隔で離れている走査ライン同士を同じグループにしうる。本例の場合であれば、第１グループとして第１，９，１７，．．．（８ｋ＋１）番目の走査電極を割当て、第２グループとして第２，１０，１８，．．．（８ｋ＋２）番目の走査電極を割当てる。一方、必要に応じては任意に不規則な方式でも走査ラインをグループ化させうる。
【００３０】
相互隣接しない走査ラインを１つのグループに束ねて動作させる場合、何れか１つのグループの走査電極に対してアドレス期間に次いで維持期間を行えば、その維持放電によってプライミング効果が生じてそれに隣接した走査ラインに電荷が移動してアドレス動作の実行に役に立つ。例えば、第１グループに対してアドレス期間と維持期間とが行われた場合、第１，９，．．．走査ラインに対する維持放電動作によって、それに隣接した第２，１０，．．．走査ラインからプライミング効果による電荷が生じ、それによって第２グループに対してアドレス期間が行われる時より確実にアドレス動作が生じうる。
【００３１】
図３Ｂは、図３Ａの他の駆動方式を説明する図面である。本例では、共通維持区間Ｔ２に先立って輝度補正区間Ｔ３が行われる例を示す。言い換えれば、書込み／維持混合区間Ｔ１が行われた後、各グループ別に異なる輝度を補正するためのさらなる維持期間Ｔ３を先に行って、全ての画素の輝度がマッチングさるべく調整することである。このように、輝度補正区間Ｔ３を行った後、全ての画素に対して共通で維持期間Ｔ２を行って要求される階調度を達成する。言い換えれば、補正区間Ｔ３は、混合区間Ｔ１の間に各グループ別に変えて行われた維持期間によって各グループ別に異なる階調度を合せるために、各グループの画素に対して選択的にさらなる維持期間を行い、共通区間Ｔ２は、所定の階調度を満足させるために全てのグループに属する画素に対して共通で一定期間維持期間を行う。
【００３２】
図４Ａないし図４Ｃは、本発明に係るパネル駆動方法に係る多様な実施形態を説明するための図面である。例えば、１つのサブフィールドに最大９０個の維持パルスが割当てられた場合、本発明の実施形態によってこれを各維持期間に分配する方式はかなり多様である。パネルの画素を４グループに分けて図３Ａの方式で駆動する場合、混合区間Ｔ１の各維持期間には、１０個の維持パルスが、共通区間には５０個の維持パルスが割当てられればよい。すなわち、第１グループの場合、混合区間で１０＊４個、共通区間で５０個の維持パルスが割当てられ、第２グループの場合混合区間で１０＊３個、共通区間で５０個、補正区間で１０個の維持パルスが各々割当てられる。
【００３３】
一方、混合区間Ｔ１の各維持期間の間に印加される維持パルスの数は、設計仕様によって多様に選定でき、前記例で、各維持期間に対して３０個ずつの維持パルスが割当てられるものと仮定する。それにより、図４Ａのようなタイミング図を得られる。
第１グループの場合、混合区間で第１ないし第３グループのアドレス期間に対応する３回の維持期間だけで９０個の維持パルスを全て印加でき、したがって第４グループのアドレス期間に後続して行われる維持期間の間に、第１グループの画素には維持パルスが印加されないようにする。第３グループに対しては、混合区間Ｔ１での維持期間Ｓ３１、Ｓ３２を行った後、第１、第２グループの輝度と合せるために、さらなる維持期間Ｓ３３を行わねばならず、第４グループの場合も同じ方式で動作する。
【００３４】
したがって、図４Ａは共通維持期間なしに書込み／維持混合区間Ｔ１と輝度補正区間Ｔ３で１つのサブフィールドを構成した例を示す。本実施形態では、少なくとも何れか１つのグループでは、１サブフィールドで要求される階調度のために割当てられた数の維持パルスを、書込み／維持混合区間Ｔ１に含まれた維持期間の間に印加可能に具現すべきである。
図４Ａは、パネルの画素を複数のグループに区分して、各グループに属する画素が所定の階調度を有するようにアドレッシングして維持放電する方法を説明するタイミング図である。混合区間Ｔ１で、何れか１つのグループの画素に対して維持期間が行われる間、既にアドレス期間が行われた他のグループの画素に対しても維持期間が行われつつ、何れか１つのグループに対して現在まで行われた維持期間によって所定の階調度が達成されれば、他のグループで維持期間が行われても休止状態を保つ。そして、最後のグループの画素までアドレス期間と維持期間とを全て行った後、所定の階調度を満足させないグループの画素に対しては、さらなる維持期間を選択的に行う。
【００３５】
図４Ｂは、図４Ａにおいて第１グループの維持期間Ｓ１３及び第２グループの維持期間Ｓ２３が、第３グループの維持期間Ｓ３３及び第４グループの維持期間Ｓ４２と時間的に共に行われるように構成した例である。このように、混合区間で何れか１つのグループで維持期間が行われる間、既にアドレス期間が行われた他のグループで維持期間を行うか、否かは選択的に決定できる。また、混合区間に含まれた複数維持期間の各々に割当てられた維持パルスの数も相互同一に、一部同一に、または全て異なるように調整しうる。
【００３６】
図４Ｃは、図４Ｂの駆動方式と比較する時、書込み／維持混合区間Ｔ１に次いで輝度補正区間Ｔ３をさらに行った後、共通維持期間Ｔ２を行う他の例を示す。
図５は、本発明の他の実施形態に係るパネル駆動方法を説明するタイミング図である。第１グループの走査電極で順次にアドレスパルスを印加してアドレッシング動作を行い、第１グループの全ての走査電極に対するアドレス動作が完了すれば、走査電極に維持パルスを印加して維持動作を行う。
【００３７】
第１グループに対する維持期間が完了すれば、第２グループの走査電極に対してもアドレス動作及び維持放電動作を順次に行い、第１グループで最後のグループまでアドレス期間と維持期間とが時間的に順次に行われる。本実施形態は混合区間Ｔ１において１つの維持期間の間に所望の階調度に対応する数の維持パルスを全て割当てられる場合に特に有用である。この場合には各グループ別にアドレス期間と維持期間とが時間的に順次に行われうる。
図６Ａないし図６Ｃは、パネルの画素を８グループに分けた後、本発明の多様な駆動方式を適用した例を説明する図面である。図６Ａは、一つのサブフィールドを書込み／維持混合区間Ｔ１、共通維持期間Ｔ２及び輝度補正区間Ｔ３に分けて駆動する例を示す図面であって、図３Ａに示された方式と実質的に同一である。
【００３８】
図６Ｂは、混合区間Ｔ１において何れか１つのグループで維持期間が行われる間、既にアドレス期間が行われたグループで選択的に維持期間が行われる方式に関する。図６Ｃは、共通維持期間なく書込み／維持混合区間Ｔ１と輝度補正区間Ｔ３とで１つのサブフィールドが構成された例を示す。
図９は、前述ようなパネル駆動方法が具現された装置のブロック図であって、本発明の駆動方式によるアドレス動作と維持動作とが、パルス合成部９４と走査電極駆動部９６によってパネル９７の画素に対して行われる。
【００３９】
本発明に係るパネル駆動装置は、パネル９７の画素を複数のグループに区分して各グループに属する画素をアドレッシングして維持放電し、パルス合成部９４は、各グループに属する画素に対してアドレス期間と維持期間とを順次に行うが、何れか１つのグループの画素に対してアドレス期間を行う間、他のグループの画素は休止状態にあり、何れか１つのグループの画素に対してアドレス期間を行った後、維持期間を行う間には、既にアドレス期間が行われた他のグループの画素に対しても選択的に維持期間を行うようにアドレス信号及び維持信号を発する。
【００４０】
走査電極（Ｙ）駆動部９６は、グループ別走査電極に走査パルスを印加（この際、アドレス電極としてはアドレスパルスが印加される）してアドレス期間を行った後、走査電極に維持パルスを印加して維持期間を行い、アドレス期間と維持期間とが混在する方式で動作させる。維持電極（Ｘ）駆動部９５は、各グループの画素で維持期間が行われる間に維持パルスを維持電極に印加する。
パルス合成部９４は、全てのグループに属する画素に対するアドレス期間を全て行った後に、全てのグループに属する画素に対して一定期間共通で維持期間を行うための維持信号をさらに生じさせて共通維持区間を行える。また、各グループの画素が所定の階調度を満足させるように、各グループの画素に対して選択的にさらなる維持期間を行うための維持信号をさらに発して、輝度補正区間を行える。
【００４１】
グループ別画素に対して順次にアドレス期間と維持期間とを行った結果、何れか１つのグループに対して今まで行われた維持期間によって所定の階調度を達成すれば、他のグループで維持期間が行われても前記グループの画素は休止状態を保たせることが望ましい。
一方、リセット期間を行うに当って、第１グループの画素に対するアドレス期間の実行前に、全てのグループの画素に対して同時にリセット期間を行うか、各グループ別画素に対するアドレス期間を行う前に、当該グループの画素に対してリセット期間を行うことが望ましい。
【００４２】
前述したように、本発明の実施形態によれば、パネルの画素を複数のグループに区分し、各グループに属する画素に対してアドレス期間と維持期間とを順次に行う。それと共に、何れか１つのグループの画素に対してアドレス期間を行う間、他のグループの画素は休止状態にあり、何れか１つのグループの画素に対してアドレス期間を行った後、維持期間を行う間には、既にアドレス期間が行われた他のグループの画素に対しても選択的に維持期間を行う。それによって、第１グループから第ｎグループまでアドレス期間が全て行われる間、各アドレス期間の間毎に、維持期間が各グループ別に選択的に行われる。
【００４３】
本発明は、パネルの電極を駆動する方式において、点けようとするセルをあらかじめ選択するアドレス期間と、その選択されたセルを発光させる維持期間を順次に行う表示装置には、全て適用可能である。例えば、ＡＣ型ＰＤＰだけでなく、ＤＣ型ＰＤＰ、ＥＬ（電光）表示装置、または液晶装置のように、空間電荷によってアドレス期間と維持期間とを順次に行って画面を表示する装置にも、本発明の技術的思想がそのまま適用できることは、当業者に自明なことである。
【００４４】
本発明は、またコンピュータにて読取りできる記録媒体に、コンピュータにて読取りできるコードとして具現することが可能である。コンピュータにて読取れる記録媒体は、コンピュータシステムによって読取り可能なプログラムやデータが貯蔵される全ての種類の記録装置を含む。コンピュータにて読取り可能な記録媒体の例としては、ＲＯＭ、ＲＡＭ、ＣＤ−ＲＯＭ、磁気テープ、ハードディスク、フロッピー（登録商標）ディスク、フラッシュメモリ、光データ貯蔵装置などがある。ここで、記録媒体に貯蔵されるプログラムとは、特定の結果を得るためにコンピュータなどの情報処理能力を有する装置内で、直接または間接的に使われる一連の指示命令で表現されたものを言う。したがって、コンピュータという用語も、実際に使われる名称の如何に拘らずメモリ、入出力装置、演算装置を備えてプログラムによって特定の機能を行うための情報処理能力を有する全ての装置を総括する意味として使われる。パネルを駆動した装置の場合にも、その用途がパネル駆動という特定の分野に限定されたものに過ぎず、その実体においては一種のコンピュータであると言える。
【００４５】
前述したように、パネル駆動装置に含まれるパルス合成部は、その内部にメモリ及びプロセッサーを含む集積回路より構成され、パネルを駆動するための方法が具現されたプログラムをメモリに貯蔵できる。パネル駆動時には、メモリに貯蔵されたプログラムを実行して、本発明に係るアドレッシング及び維持動作を行える。したがって、このようにパネル駆動方法を実行するプログラムが貯蔵された集積回路は、上記の記録媒体の一種であると解釈すべきである。
以上、図面及び明細書において最適の実施形態が開示された。ここで、特定の用語が使われたが、これは単に本発明を説明するための目的として使われたものであり、意味限定や特許請求の範囲上に記載された本発明の範囲を制限するために使われたものではない。したがって、当業者ならば、これより多様な変形及び均等な他実施形態が可能であるという点を理解しうる。したがって、本発明の真の技術的保護範囲は、特許請求の範囲上の技術的思想によってのみ決まるべきである。
【図面の簡単な説明】
【００４６】
【図１Ａ】本発明に係るパネル駆動方法の実施形態を示す図面である。
【図１Ｂ】本発明に係るパネル駆動方法の実施形態を示す図面である。
【図２Ａ】本発明に係るパネル駆動方法をＡＣ型ＰＤＰに適用した具現例を示す図面である。
【図２Ｂ】本発明に係るパネル駆動方法を概念的に示す図面である。
【図３Ａ】パネルの画素を４グループに区分して本発明を適用した例を示す図面である。
【図３Ｂ】パネルの画素を４グループに区分して本発明を適用した例を示す図面である。
【図４Ａ】本発明に係るパネル駆動方法に係る多様な実施形態を説明するための図面である。
【図４Ｂ】本発明に係るパネル駆動方法に係る多様な実施形態を説明するための図面である。
【図４Ｃ】本発明に係るパネル駆動方法に係る多様な実施形態を説明するための図面である。
【図５】本発明の他の実施形態に係るパネル駆動方法を説明するタイミング図である。
【図６Ａ】パネルの画素を８グループに分けた後、本発明の多様な駆動方式を適用した例を説明する図面である。
【図６Ｂ】パネルの画素を８グループに分けた後、本発明の多様な駆動方式を適用した例を説明する図面である。
【図６Ｃ】パネルの画素を８グループに分けた後、本発明の多様な駆動方式を適用した例を説明する図面である。
【図７】ＡＣ型プラズマディスプレーパネルの一部斜視図である。
【図８】パネルの電極配列図を示す。
【図９】本発明に係るパネル駆動装置の実施形態を示す図面である。
【符号の説明】
【００４７】
１…第１ガラス基板
２…誘電体層
３…保護膜
４…走査電極
５…（共通）電極
６…第２ガラス基板
７…絶縁体層
８…アドレス電極
９…隔壁
１０…蛍光体
１１…放電空間
１２…放電セル
９１…フレームメモリ
９２…サブフィールド処理部
９３…タイミング制御部
９４…パルス合成部
９４２…リセット信号発生部
９４３…書き込みパルス発生器
９４４…維持パルス制御部
９５…維持電極（Ｘ）駆動部
９６…走査電極Ｙ駆動部
９６１〜９６８…駆動回路
９７…パネル
【図１Ａ】
2004177933.tif 000003
【図１Ｂ】
2004177933.tif 000004
【図２Ａ】
2004177933.tif 000005
【図２Ｂ】
2004177933.tif 000006
【図３Ａ】
2004177933.tif 000007
【図３Ｂ】
2004177933.tif 000008
【図４Ａ】
2004177933.tif 000009
【図４Ｂ】
2004177933.tif 000010
【図４Ｃ】
2004177933.tif 000011
【図５】
2004177933.tif 000012
【図６Ａ】
2004177933.tif 000013
【図６Ｂ】
2004177933.tif 000014
【図６Ｃ】
2004177933.tif 000015
【図７】
2004177933.tif 000016
【図８】
2004177933.tif 000017
【図９】
2004177933.tif 000018